(57)【要約】【課題】収納性および意匠性の高い棚を提供すること。【解決手段】前面に開口部を有し、物を収納する収納室５３と、前記収納室５３の右側面から左側面に亘って架橋状に設置され、奥行き寸法が左右で異なる棚板８０であって、前記棚板８０の左側の前端面と右側の前端面とを曲面により連続的に繋ぐ段差部９２を有する棚板８０と、前記棚板８０の左右端縁を下方から支持する、奥行き方向に延び内方突出状に収納室５３の両側面に設けられるレール状の支持部１８２と、前記棚板８０の左右方向端縁の中間部に突設され、前記棚板８０を前記支持部１８２に載置した状態で前記支持部１８２の下部と係合する係止片９６ａとを備える。【選択図】図２
2008049115.tif 000002
【特許請求の範囲】
【請求項１】
前面に開口部を有し、物を収納する収納室と、
前記収納室の右側面から左側面に亘って架橋状に設置され、奥行き寸法が左右で異なる棚板であって、前記棚板の左側の前端面と右側の前端面とを曲面により連続的に繋ぐ段差部を有する棚板と、
前記棚板の左右端縁を下方から支持する、奥行き方向に延び内方突出状に収納室の両側面に設けられるレール状の支持部と、
前記棚板の左右方向端縁の中間部に突設され、前記棚板を前記支持部に載置した状態で前記支持部の下部と係合する係止片とを備える
棚。
【請求項２】
さらに、
前記棚板は、前記棚板の後端縁に第１係合部を有し、
前記収納室は、後端面に前記第１係合部と係合し前記棚板の前方への引出を規制する第２係合部を有する
請求項１記載の棚。
【請求項３】
前記棚板は、前端面の少なくとも前記段差部を含む部分に縁材を有する
請求項１記載の棚。
【請求項４】
前記縁材の上端面は、前記棚板の上表面以下に存在する
請求項３に記載の棚。
【請求項５】
前記棚板は、透明性を有する材料により構成されている
請求項１記載の棚。
【請求項６】
前記棚板はガラス製である
請求項５に記載の棚。
【発明の詳細な説明】
【技術分野】
【０００１】
本発明は、収納室内に棚板を着脱可能に備える棚に関する。
【背景技術】
【０００２】
従来、棚（例えば本箱や食器棚）は、収納室の右側面から左側面に亘って架橋状に設置される棚板を備えており、収納物の高さに応じて棚板を取り付ける位置が可変となっているものが多い。
【０００３】
前記棚板の取り付け位置を変更するための構造としては、一般的に、収納室を形成する側壁の内側に、穴が縦方向に並設されている。そして、当該穴であって所望の位置に突出部を残して挿入されるダボと称される円柱状のピンに棚板を載置する構造が採用されている。
【０００４】
前記棚板がダボから滑り落ちないように、棚板の底面にはダボと係合する溝が彫り込まれている場合がある。また、さらに特許文献１に開示されているように、棚板が容易に上方向に持ち上がらないように、ダボを抱持する抱持片が棚板の底面に突設される場合がある。
【特許文献１】特開２００６−２２３５５５号公報
【発明の開示】
【発明が解決しようとする課題】
【０００５】
ところが、ダボが用いられる構造では、棚板に重量物を載置する強度を備えていない。さらに、棚板を大型化しようとする場合、撓まないように棚板の強度を向上させるため、棚板自身の重量も増加するため、ダボが用いられる構造は採用し難くなる。
【０００６】
そこで、鋭意研究と努力の結果レール状の支持部材を側壁に強固に固定し、支持部材に棚板の端部を支承させる構造を見出だすに至った。
【０００７】
しかしながら、棚板を単に支持部材に載置するだけでは、棚板を上方に持ち上げることができるため安定性が悪くなり、支持部材に溝を設け当該溝に棚板の端部を挿入することで棚板を固定する場合は、設計の自由度があまりなく、意匠のバリエーションを創作することが困難となる。
【０００８】
本発明は、上記従来の課題を解決するものであり、収納性および設計の自由度の高い棚を提供することを目的とする。
【課題を解決するための手段】
【０００９】
上記従来の課題を解決するために、本発明の棚は、前面に開口部を有し、物を収納する収納室と、前記収納室の右側面から左側面に亘って架橋状に設置され、奥行き寸法が左右で異なる棚板であって、前記棚板の左側の前端面と右側の前端面とを曲面により連続的に繋ぐ段差部を有する棚板と、前記棚板の左右端縁を下方から支持する、奥行き方向に延び内方突出状に収納室の両側面に設けられるレール状の支持部と、前記棚板の左右方向端縁の中間部に突設され、前記棚板を前記支持部に載置した状態で前記支持部の下部と係合する係止片とを備えることを特徴としている。
【００１０】
これにより、棚板の奥行き寸法が左右で異なることで、例えば、棚板を２つの収納領域、すなわち奥行き寸法の長い領域と短い領域とに分けて使用することができる。そのため、例えば奥行き寸法の長い側の領域には比較的大きな収納物等を置くといった効率の良い区分収納が可能となるとともに、使用者にとっての収納物の出し入れ性が向上する。
【００１１】
また、棚板の前端面に存在する段差に曲面を持たせることにより、例えば、棚板の前端部分収納物等を置いたときに発生する応力集中や歪みを緩和させることができる。
【００１２】
つまり、比較的重い収納物を棚板に置いた場合であっても大きなたわみや割れに至ることなく、使用者は安心かつ安全に棚を使用することが可能となる。
【００１３】
また、段差部を滑らかなウェーブ状の形状にし、さらに棚板の収納室奥面に対向する辺をフラットな形状にすることで、見た目にも良く意匠性にも優れたものになる。
【００１４】
さらに、前記棚板は、前記棚板の後端縁に第１係合部を有し、前記収納室は、後端面に前記第１係合部と係合し前記棚板の前方への引出を規制する第２係合部を有するものとしてもよい。
【００１５】
これにより、棚板を安定して取り付けることが可能となる。
前記棚板は、前端面の少なくとも前記段差部を含む部分に縁材を有することが望ましい。
【００１６】
これにより、段差部を縁材により補強や保護をすることができる。また、例えば、縁材をステンレス等の金属製とすることで、縁材を棚板の化粧部材として使用することもできる。これにより、視覚的に最も目立つ箇所である棚板の前端部分を見た目に美しくすることができ棚板を意匠性に優れたものとすることができる。
【００１７】
また、前記縁材の上端面を前記棚板の上表面以下に存在するものとすることにより、見た目にすっきりした印象を与えることができ、意匠性をさらに向上させることができる。
【００１８】
前記棚板は、透明性を有する材料により構成されていることが望ましく、前記棚板はガラス製であってもよい。
【００１９】
棚板に、透明性を持たせることで、収納室全体における圧迫感をなくし広々感が損なわれることがない。また、収納室内に照明を設けた場合に光を収納室全体に行き渡らせることが可能となる。
【００２０】
また、ガラス製の棚板であれば比較的薄い平板状にすることができ、最も視覚的に気になる棚の前辺に圧迫感を持たせることがない。さらに、棚の棚板としての美観を損ねることなく棚板の強度を向上させることができる。
【発明の効果】
【００２１】
収納室の幅方向全体に亘って架橋状に設置される棚板により収納効率および利便性の向上が図られる。また、棚板が支持部と係止片との係合によって固定されるため安定性の向上が図られると共に、係合片の取り付け位置を変更することで設計の自由度も向上させることができる。さらに、棚板の前面に曲面が存在するため美匠性にとみ、棚板をガラスで構成した場合にはさらに美匠性と広々感を向上させることが可能となる。
【発明を実施するための最良の形態】
【００２２】
以下、本発明による棚の実施の形態について、図面を参照しながら説明する。
まず、図を用いて本発明の実施の形態の棚の構成を説明する。
【００２３】
図１は、本発明の実施の形態の棚の正面図である。
図１に示すように実施の形態の棚５１は、観音開き式の扉を備える棚であり、扉箱体本体５２内に複数に区画された収納室を備えている。
【００２４】
実施の形態の棚５１は、具体的には上部に収納室５３を備え、その他、小引出５４、小引出５４に併設される中引出５５、大引出５６、５７を備えている。
【００２５】
収納室の前面開口部には、例えばガラスなどが配され収納室を見ることができる扉が設けられている。具体的には、収納室５３には箱体本体５２の前面開口を左右に区画する左扉６０ａ、右扉６０ｂが設けられている。
【００２６】
収納性や使い勝手の観点から、左扉６０ａは右扉６０ｂより左右方向の長さ、つまり横幅が短く構成されており、小引出５４と中引出５５とが分割された位置とほぼ同じ左右方向の位置で分割されている。これにより統一感を演出している。
【００２７】
なお、収納室の扉は、収納形態等によって、左扉と右扉の横幅が同一である観音開き式や、左扉および右扉の一方を引き出し式扉で構成するものでもよい。
【００２８】
図２は、扉を開けた状態の棚５１の斜視図であり、図３は、棚５１の縦断面図（図１に示すＡ−Ａ断面図）である。
【００２９】
図２および図３に示すように、収納室５３には、収納物を整理して収納するための複数の棚板８０が配置されており、これら複数の棚板８０により収納室５３内に複数段に亘る収納空間が形成されている。
【００３０】
また、収納室５３の前面開口には、上述のように左扉６０ａおよび右扉６０ｂが設置されている。具体的には、左扉６０ａおよび右扉６０ｂはそれぞれ箱体本体５２の左右の端部にヒンジ８１で枢支されている。
【００３１】
また、収納室５３内の収納空間の最下段には、小物ケース８３が配置されている。
図４は、実施の形態の棚５１の横断面図（図１に示すＢ−Ｂ断面図）である。
【００３２】
図４に示すように、収納室５３の前面開口部に位置する両扉間においては、仕切体８６が配置され、両扉が閉まった時にその仕切体８６によって、両扉間の隙間を塞ぐ構造になっている。
【００３３】
仕切体８６は、左扉６０ａの右端に取り付けられており、右扉６０ｂが先に閉められた後からでも左扉６０ａを閉めることができるよう左扉６０ａの開閉とともに回動する構造になっている。
【００３４】
そのため、仕切体８６の後方側（収納室側）には仕切体８６が回動する空間が若干ながら必要である。
【００３５】
なお、棚板８０は、壁面７０に取り付けられたレール状の支持部１８２に載置されることで箱体本体５２に保持及び支持固定され、かつ、上下方向でほぼ水平になるよう配置されている。
【００３６】
また、棚板８０が係止片９６ａを有することにより、前記支持部１８２と係合し、箱体本体５２に保持及び支持固定される。
【００３７】
また、棚板の後端縁には第１係合部９６ｂが２箇所に備えられている。また、図４、図５に示すように、箱体本体５２の後面壁には前記第１係合部９６ｂと係合する第２係合部１９６が備えられている。第１係合部９６ｂはかえりが設けられており、第２係合部１９６には前記かえりに係合する突起が備えられている。従って、第１係合部９６ｂと第２係合部１９６が一旦係合すると、通常の力では係合を解除することができない。なお、第２係合部１９６には小さな溝が設けられており、当該溝に細い硬質の棒を突き入れることで、かえりと突起の係合が解除できるものとなされている。従って前記棒が溝に挿入された状態では棚板８０を引き出すことが可能となる。
【００３８】
ここで、棚板８０の全端縁は段差が設けられており、段差部９２には滑らかな曲面で段差がつなげられている。観音開き式の扉は、前記棚板８０の曲線に沿った形状となされている。
【００３９】
棚板８０がこのような形状をすることにより、意匠性に優れたものとなる。
具体的には、図４に示すように、棚板８０は、奥行き寸法が短い右側の前端面と奥行き寸法が長い左側の前端面とを備えている。
【００４０】
従って、本実施の形態における棚板８０は、その前端辺に従来の棚の棚板にはなかった前後方向の段差を有していることになる。この段差を段差部９２とする。
【００４１】
段差部９２は、棚板の左側の前端面と右側の前端面とを曲面により連続的に繋ぐ部位である。
【００４２】
また、奥行き寸法がＫである部分を含む棚板８０の左側の部分を大棚板部１１３とし、奥行き寸法がＬの部分を含む棚板８０の右側の部分を通常棚板部１１５とする。
【００４３】
大棚板部１１３と通常棚板部１１５とは、おおよそ段差部９２の左右方向の中心点から奥行き方向に延伸した直線の左側（大棚板部１１３）と右側（通常棚板部１１５）とで区別することができる。
【００４４】
なお、大棚板部１１３と通常棚板部１１５との区別の方法は上記方法に限られず、例えば、図４において奥行き寸法がＫである領域のみを通常棚板部１１５とし、他の領域を大棚板部１１３としてもよい。
【００４５】
本実施の形態において、大棚板部１１３の前端面と通常棚板部１１５の前端面とは段差部９２により連続的に繋げられている。
【００４６】
また、上下方向の複数の棚板８０を、上段から下段までの各棚の前端辺を平行となる位置にする、つまり、各棚板８０の段差部９２が高さ方向に整列するように配置することで、使用者による見た目の統一感がとれるとともに、非常にデザイン性にも優れるものとなる。
【００４７】
さらに、複数の棚板８０を同一部品にできる可能性があり、部品の兼用化による安価なコストでの構成や製造工程での作業負担軽減による製造コストの低減にも寄与する。
【００４８】
大棚板部１１３は、奥行きが長いことが特徴であり、比較的長い収納物を、他の収納物等の出し入れを邪魔することなく安定的に置くことができる。
【００４９】
このことは、使用者からすると、多量の物を区分けして棚５１に収納する上で、また、多量の収納物の中から所望の収納物を取り出す上で便利である。
【００５０】
また、棚板８０は比較的薄い平板状にすることで、複数段に亘る収納品の収納空間を極力大きくとれ、収納スペースを増加することができる。また、最も視覚的に気になる棚板８０の前端辺に圧迫感を持つことがない。
【００５１】
さらに棚板８０を透明性の材質で作製することにより、収納室全体の圧迫感をなくし広々感を損なうことがない。
【００５２】
また、棚板８０の段差部９２は角張った段ではなく、滑らかなウェーブ状に形成すること、例えばＲ形状としたり、Ｃ面とり形状とする。
【００５３】
このことは、棚板８０において応力集中の発生や歪みを防止するための補強構造としての効果もある。そのため、収納物を載置したときでも、たわみや割れを防止できるとともに、見た目にもキレイでデザイン的にも優れたものになることからも非常に有効な手段である。
【００５４】
棚板８０の材質をガラスにすると、上記効果を実現することができると共に、光の透過性が増し、クリーンでかつ強度にも優れたものにできる。
【００５５】
図６は、ガラス製の棚板８０にその全周を覆う縁材を取り付けた状態を示す図である。
図６に示す縁材９６は、例えば樹脂製であり、棚板８０の両端に当たる部分に係止片９６ａと、第１係合部９６ｂが一体成型により設けられている。
【００５６】
ここで、ガラス製の棚板８０と、図６に示す縁材９６とを別々に作製し、それぞれの完成後に組み合わせてもよく、インサート成型により、棚板８０と縁材９６とを一体成型してもよい。
【００５７】
インサート成型の場合、縁材９６および係止片９６ａを含む棚板８０をより迅速に作製することができる。また、棚板８０と縁材９６との固着力を向上させることができる。
【００５８】
なお、棚板８０をガラスで作製した場合、強度を高める目的では縁材を取り付ける必要がないことも考えられる。
【００５９】
しかし、ガラス製の棚板に取り付けられた縁材は、棚板８０の周縁分の保護、棚板８０上に置かれた物の落下防止、およびデザイン性の向上等の役割を果たすことができる。
【００６０】
なお、縁材は、棚板８０の上面からはみ出す形状でなくてもよい。つまり、縁材の上端面が棚板８０の上表面よりも突出しない縁材であっても良い。このような構成にすることで、棚板８０周縁部を保護する機能を残存させたまますっきりした外観を呈することができる。
【００６１】
さらに、棚板８０についても奥行が深く幅が狭い大棚板部１１３を頻繁に出し入れしない収納物を収納するストックゾーンとして使用し、奥行きが比較的短く横幅が大棚板部１１３より広い大棚板部１１３を頻繁に出し入れする収納物を収納するゾーンとして使用するといった区分収納も可能である。
【００６２】
つまり、使用者は収納室５３内を区分し、目的に応じて各区分を使用することが可能となる。
【００６３】
また、収納室５３の前面開口を最も大きいものとし、その下方に引出し扉を備えた小引出５４、中引出５５、大引出５６などを配置することで、非常に使い勝手のよい収納室配置を実現できる。
【００６４】
以上説明した実施の形態は、本発明の一つの実施の形態にすぎず、種々の変更、応用が可能である。
【００６５】
例えば、左扉６０ａは右扉６０ｂよりも左右の長さ、つまり横幅が短いという形態で説明したが、両扉を分割する比率がどのような割合であってもよい。
【００６６】
また、左扉６０ａおよび右扉６０ｂの左右方向の長さ、つまり左扉６０ａの横幅と右扉６０ｂの横幅とを同一にしてもよい。
【００６７】
また、係止片９６ａを縁材９６に設ける物として説明したが、係止片９６ａを直接ガラス製の棚板に取り付ける物でも構わない。また、第１係合部９６ｂも同様である。
【産業上の利用可能性】
【００６８】
本発明は、収納物の形状に見合った収納空間を必要とするような棚などに利用可能である。
【図面の簡単な説明】
【００６９】
【図１】本発明の実施の形態の棚の正面図である。
【図２】実施の形態の棚の扉を開けた状態の斜視図である。
【図３】実施の形態の棚の縦断面図である。
【図４】実施の形態の棚の横断面図である。
【図５】扉を開けた状態の横断面図である。
【図６】棚板を示す斜視図である。
【符号の説明】
【００７０】
５１  棚
５２  箱体本体
５３  収納室
５４  小引出
５５  中引出
５６  大引出
６０ａ  左扉
６０ｂ  右扉
７０  壁面
８０  棚板
８１  ヒンジ
８３  ケース
８６  仕切体
９２  段差部
９６  縁材
９６ａ  係止片
９６ｂ  第１係合部
１１３  大棚板部
１１５  通常棚板部
１８２  支持部
１９６  第２係合部
【図１】
2008049115.tif 000003
【図２】
2008049115.tif 000004
【図３】
2008049115.tif 000005
【図４】
2008049115.tif 000006
【図５】
2008049115.tif 000007
【図６】
2008049115.tif 000008